(57)【要約】【課題】タイトフレームに上方向に作用する荷重への対策として、タイトフレームの固定を補強するための新規な技術について提案する。【解決手段】折板屋根１０のタイトフレーム２の固定を補強する方法であって、前記タイトフレーム２が固定される梁部材１に対し固定される補強部材４にて、前記タイトフレーム２の一部を上側から押さえつけることとする。これにより、折板屋根１０の上に設置される太陽エネルギー利用装置２０の存在により、タイトフレーム２を上方向へ引き上げる荷重が作用する場合においても、タイトフレーム２の固定状態の維持を確保することが可能となる。【選択図】図１
2011214219.tif 000002
【特許請求の範囲】
【請求項１】
折板屋根のタイトフレームの固定を補強する方法であって、
前記タイトフレームが固定される梁部材に対し固定される補強部材にて、前記タイトフレームの一部を上側から押さえつける、こととする、
タイトフレームの固定を補強する方法。
【請求項２】
前記折板屋根は、既設の折板屋根とする、
ことを特徴とする、請求項１に記載のタイトフレームの固定を補強する方法。
【請求項３】
前記補強部材の一部が、折板と前記タイトフレームの間に形成される隙間に挿入され、その挿入された部位によって、前記タイトフレームの一部が上側から押さえつけられる、
ことを特徴とする、請求項１又は請求項２に記載のタイトフレームの固定を補強する方法。
【請求項４】
前記折板屋根の上には、太陽エネルギー利用装置が載置固定されるものであって、
前記タイトフレームには、太陽エネルギー利用装置を支持固定するための連結具が連結固定されるものであり、
前記連結具が固定される箇所におけるタイトフレームの谷底部において、前記補強部材によるタイトフレームの押さえつけを行う、
ことを特徴とする、請求項１乃至請求項３のいずれか一項に記載のタイトフレームの固定を補強する方法。
【請求項５】
折板屋根のタイトフレームの固定を補強するための補強部材であって、
前記タイトフレームが固定される梁部材に対し固定するための部位と、
前記タイトフレームの一部を上側から押さえつけるための部位と、
を有する、タイトフレームの固定を補強するための補強部材。
【請求項６】
前記折板屋根は、既設の折板屋根とする、
ことを特徴とする、請求項５に記載のタイトフレームの固定を補強するための補強部材。
【請求項７】
前記タイトフレームの一部を上側から押さえつけるための部位は、
折板と前記タイトフレームの間に形成される隙間に挿入され得るものであり、
その挿入された部位によって、前記タイトフレームの一部が上側から押さえつけられることとする、
ことを特徴とする、請求項５又は請求項６に記載のタイトフレームの固定を補強するための補強部材。
【発明の詳細な説明】
【技術分野】
【０００１】
本発明は、折板屋根に使用するタイトフレームの固定を補強するためのタイトフレーム固定補強用金具に関するものであり、より詳しくは、タイトフレームに作用する上方向への荷重に対し、タイトフレームを強固に固定するためのものに関する。
【背景技術】
【０００２】
従来、カーポート、体育館、工場、倉庫などに用いる屋根の形態として、折板屋根が知られている。この折板屋根は、母屋の梁部材に載置固定されるタイトフレームに対し、折板を敷設することで構成される。タイトフレームは、折板の断面形状に添う様に、山と谷が連続する波形状とするものが一般的であり、このタイトフレームを用いた折板屋根について開示する文献も存在する（特許文献１参照。）。
【０００３】
特許文献１では、折板から受ける下向きの荷重や、折板の変形に伴って、タイトフレームが変形してしまうことに着目したものであり、タイトフレームを下側から支えることで、タイトフレームを補強する技術について開示している。具体的には、タイトフレームと梁部材の間に補強用金具を介装するものであり、これによれば、タイトフレームと梁部材の間において補強用金具が突っ張ることで、折板から受ける下側方向への荷重などに対して、タイトフレームの変形が抑制され得ることが考えられる。
【先行技術文献】
【特許文献】
【０００４】
【特許文献１】特開２００８−２４０４８３号公報
【発明の概要】
【発明が解決しようとする課題】
【０００５】
しかし、折板屋根については、下向きの荷重のみならず、上向きの荷重も発生することが考えられる。即ち、例えば、屋根下空間が開放されるカーポートに折板屋根が適用されている場合には、屋根下空間を風が通過する際に、上向き方向の風の流れによって、折板屋根を上方向へ押し上げる荷重が発生することになる。このため、タイトフレームについては、このような上方向への荷重に対しても耐え得るように、梁部材に対して固定される必要がある。
【０００６】
さらに、折板屋根の上に、発電のための太陽光発電装置や、給湯用の太陽熱蓄熱装置などが設置される場合においては、これらの装置と折板屋根の間の空間に風が吹き込み、この吹き込み風によって、これらの装置が折板屋根を上方向へ引っ張り上げる状況が生じ得る。したがって、このような状況では、タイトフレームは、折板屋根そのものから作用する上方向への荷重に加え、太陽光発電装置などから作用する上方向への荷重についても、確実に耐えることができる必要がある。
【０００７】
特に、近年においては、太陽光発電パネルの普及が著しく、カーポートなどに後付で設置されるケースも増えることが予想される。また、太陽光発電パネルの場合においては、折板屋根の略全面に設置されるなど、その敷設面積が広くなる傾向があり、上方向へ大きな荷重が発生することが考えられる。
【０００８】
仮に、折板屋根の全面に太陽光発電パネルが敷設されることを想定すると、折板屋根の略二倍の面積において、上方向への風の流れが受け止められるものと考えることもでき、この場合には、太陽光発電パネルを後付で設ける前と比較して、タイトフレームには、二倍の上方向の荷重が作用するものと考えることができる。
【０００９】
以上の内容に鑑みると、タイトフレームの固定を補強することが必要とされることになる。また、上述のような太陽光発電パネルの後付を考えると、既設の折板屋根についても対策を講じる必要がある。
【００１０】
しかし、既設の折板屋根を解体して補強などする場合には、その解体作業は大掛かりなものとなるため、解体作業をせずに、タイトフレームの固定を補強できることが要求されることになる。なお、折板屋根を新設する場合においても、タイトフレームの固定を補強しておくことが好ましいことはいうまでもない。
【００１１】
そこで、本発明は、以上の問題点に鑑み、タイトフレームに上方向に作用する荷重への対策として、タイトフレームの固定を補強するための新規な技術について提案するものである。
【００１２】
また、本発明の他の課題は、既設の折板屋根についても、タイトフレームの固定を補強することが可能な構成についても提案するものである。
【課題を解決するための手段】
【００１３】
本発明の解決しようとする課題は以上の如くであり、次にこの課題を解決するための手段を説明する。
【００１４】
即ち、請求項１に記載のごとく、
折板屋根のタイトフレームの固定を補強する方法であって、
前記タイトフレームが固定される梁部材に対し固定される補強部材にて、前記タイトフレームの一部を上側から押さえつける、こととするものである。
【００１５】
また、請求項２に記載のごとく、
前記折板屋根は、既設の折板屋根とするものである。
【００１６】
また、請求項３に記載のごとく、
前記補強部材の一部が、折板と前記タイトフレームの間に形成される隙間に挿入され、その挿入された部位によって、前記タイトフレームの一部が上側から押さえつけられることとするものである。
【００１７】
また、請求項４に記載のごとく、
前記折板屋根の上には、太陽エネルギー利用装置が載置固定されるものであって、
前記タイトフレームには、太陽エネルギー利用装置を支持固定するための連結具が連結固定されるものであり、
前記連結具が固定される箇所におけるタイトフレームの谷底部において、前記補強部材によるタイトフレームの押さえつけを行うこととするものである。
【００１８】
また、請求項５に記載のごとく、
折板屋根のタイトフレームの固定を補強するための補強部材であって、
前記タイトフレームが固定される梁部材に対し固定するための部位と、
前記タイトフレームの一部を上側から押さえつけるための部位と、
を有することとするものである。
【００１９】
また、請求項６に記載のごとく、
前記折板屋根は、既設の折板屋根とするものである。
【００２０】
また、請求項７に記載のごとく、
前記タイトフレームの一部を上側から押さえつけるための部位は、
折板と前記タイトフレームの間に形成される隙間に挿入され得るものであり、
その挿入された部位によって、前記タイトフレームの一部が上側から押さえつけられることとするものである。
【発明の効果】
【００２１】
本発明の効果として、以下に示すような効果を奏する。
【００２２】
即ち、請求項１に記載の発明においては、
タイトフレームを上方向に引き上げる荷重が作用する場合であっても、タイトフレームの固定状態の維持を確保することが可能となる。これにより、折板屋根の上に設置される太陽エネルギー利用装置の存在により、タイトフレームを上方向へ引き上げる荷重が作用する場合においても、タイトフレームの固定状態の維持を確保することが可能となる。
【００２３】
また、請求項２に記載の発明においては、
既設の折板屋根に後付で太陽エネルギー利用装置を設置した場合において、その設置前と比較してタイトフレームを上方向へ引き上げる荷重が増加した場合においても、タイトフレームの固定状態の維持を確保することが可能となる。
【００２４】
また、請求項３に記載の発明においては、
既設の折板屋根を解体などすることなく、タイトフレームの固定の補強が可能となる。
【００２５】
また、請求項４に記載の発明においては、
太陽エネルギー利用装置を設置した場合において、タイトフレームを上方向へ引き上げる力が直接的に作用する箇所において、タイトフレームの固定を補強することが可能となる。
【００２６】
また、請求項５に記載の発明においては、
タイトフレームを上方向に引き上げる荷重が作用する場合であっても、タイトフレームの固定状態の維持を確保することが可能となる。これにより、折板屋根の上に設置される太陽エネルギー利用装置の存在により、タイトフレームを上方向へ引き上げる荷重が作用する場合においても、タイトフレームの固定状態の維持を確保することが可能となる。
【００２７】
また、請求項６に記載の発明においては、
既設の折板屋根に後付で太陽エネルギー利用装置を設置した場合において、その設置前と比較してタイトフレームを上方向へ引き上げる荷重が増加した場合においても、タイトフレームの固定状態の維持を確保することが可能となる。
【００２８】
また、請求項７に記載の発明においては、
既設の折板屋根を解体などすることなく、タイトフレームの固定の補強が可能となる。
【図面の簡単な説明】
【００２９】
【図１】本発明の一実施例に係る補強部材にてタイトフレームの固定を補強する例について示す図。
【図２】実施例１の補強部材の設置例について示す図。
【図３】実施例１の補強部材の形状について示す図。
【図４】折板とタイトフレームの間の隙間に補強部材を取付ける状況について説明する図。
【図５】補強部材にてタイトフレームの固定を補強した状態について示す正面図。
【図６】実施例２の補強部材の設置例について示す図。
【図７】実施例２の補強部材を構成する部材の形状について示す図。
【図８】折板とタイトフレームの間の隙間に補強部材を取付ける状況について説明する図。
【図９】実施例３の補強部材の設置例について示す図。
【図１０】実施例３の補強部材を構成する部材の形状について示す図。
【図１１】実施例３の補強部材にてタイトフレームの固定を補強した状態について示す正面図。
【図１２】実施例４の補強部材の設置例について示す図。
【図１３】実施例４の補強部材を構成する部材の形状について示す図。
【図１４】実施例４の補強部材にてタイトフレームの固定を補強した状態について示す正面図。
【図１５】実施例５の補強部材の設置例について示す図。
【図１６】実施例５の補強部材を構成する部材の形状について示す図。
【図１７】実施例５の補強部材にてタイトフレームの固定を補強した状態について示す正面図。
【発明を実施するための形態】
【００３０】
次に、発明の実施の形態を説明する。
図１に示すごとく、梁部材１の上には、複数の山形部を連ねるようにして構成されるタイトフレーム２が載置固定され、このタイトフレーム２の上側に折板３が載置固定されることで、折板屋根１０が構成されるようになっている。このような折板屋根１０の形態は、カーポート、テラス屋根などの住宅用室外設備をはじめ、体育館、工場、倉庫に広く適用され得るものである。また、住宅の屋根としても適用され得る。
【００３１】
また、図１に示すごとく、折板３の上には、太陽エネルギー利用装置２０が載置固定されることで、太陽エネルギー利用装置２０を備える折板屋根１０が構成されるようになっている。この太陽エネルギー利用装置２０は、発電のための太陽光発電装置や、給湯用の太陽熱蓄熱装置などであって、図１の例では、太陽光発電装置の太陽光発電パネル２１が設置される例を示している。
【００３２】
また、図１に示すごとく、タイトフレーム２は、山形部と山形部の間に形成される谷底部において、梁部材１の上面に対して固定される。さらに、タイトフレーム２は、その一部が梁部材１に対して固定される補強部材４によって、梁部材１に対して押さえつけられるようになっている。このように、補強部材４によって追加的にタイトフレーム２を押さえつけることによって、タイトフレーム２の梁部材１に対する固定が補強され、太陽光発電パネル２１と折板屋根１０の間に進入する風Ｗ１によってタイトフレーム２を上方向に引き上げる荷重Ｆ１が作用する場合であっても、タイトフレーム２の固定状態の維持を確保することが可能となる。
【００３３】
以上のように、本発明では、図１に示すごとく、折板屋根１０のタイトフレーム２の固定を補強する方法であって、前記タイトフレーム２が固定される梁部材１に対し固定される補強部材４にて、前記タイトフレーム２の一部を上側から押さえつける、こととするものである。
【００３４】
このようにして、図１に示すごとく、タイトフレーム２を上方向に引き上げる荷重Ｆ１が作用する場合であっても、タイトフレーム２の固定状態の維持を確保することが可能となる。これにより、折板屋根１０の上に設置される太陽エネルギー利用装置２０の存在により、タイトフレーム２を上方向へ引き上げる荷重が作用する場合においても、タイトフレーム２の固定状態の維持を確保することが可能となる。
【００３５】
また、図１に示すごとく、前記折板屋根１０は、既設の折板屋根１０とするものである。
【００３６】
これにより、後付で太陽エネルギー利用装置２０を設置した場合において、その設置前と比較してタイトフレーム２を上方向へ引き上げる荷重が増加した場合においても、タイトフレーム２の固定状態の維持を確保することが可能となる。
【００３７】
また、図１に示すごとく、前記補強部材４の一部が、折板３と前記タイトフレーム２の間に形成される隙間に挿入され、その挿入された部位によって、前記タイトフレーム２の一部が上側から押さえつけられることとするものである。例えば、後述する実施例１の形態では、図４に示すごとく、補強部材４の一部である端部４１ｄが、隙間６１ｂに挿入されるとともに、端部４１ｄによって固定板面部２ｇが上側から押さえつけられるものである。
【００３８】
これにより、図１に示すごとく、既設の折板屋根１０を解体などすることなく、タイトフレーム２の固定の補強が可能となる。
【００３９】
また、図１及び図２に示すごとく、前記折板屋根１０の上には、太陽エネルギー利用装置２０が載置固定されるものであって、前記タイトフレーム２には、太陽エネルギー利用装置２０を支持固定するための連結具２２が連結固定されるものであり、前記連結具２２が固定される箇所におけるタイトフレーム２の谷底部２ｂにおいて、前記補強部材４によるタイトフレーム２の押さえつけを行うこととするものである。
【００４０】
これにより、太陽エネルギー利用装置を設置した場合において、タイトフレーム２を上方向へ引き上げる力が直接的に作用する箇所において、タイトフレーム２の固定を補強することが可能となる。
【００４１】
また、本発明では、図１及び図２に示すごとく、折板屋根１０のタイトフレーム２の固定を補強するための補強部材４であって、前記タイトフレーム２が固定される梁部材１に対し固定するための部位（図２：縦板部４１ａ）と、前記タイトフレーム２の一部を上側から押さえつけるための部位（図２：押さえ板部４１ｂ）と、を有することとするものである。
【００４２】
これにより、図１に示すごとく、本発明の補強部材４を利用することで、タイトフレーム２を上方向に引き上げる荷重Ｆ１が作用する場合であっても、タイトフレーム２の固定状態の維持を確保することが可能となる。これにより、折板屋根１０の上に設置される太陽エネルギー利用装置２０の存在により、タイトフレーム２を上方向へ引き上げる荷重が作用する場合においても、タイトフレーム２の固定状態の維持を確保することが可能となる。
【００４３】
また、図１に示すごとく、前記折板屋根１０は、既設の折板屋根１０とするものである。
【００４４】
これにより、後付で太陽エネルギー利用装置２０を設置した場合において、その設置前と比較してタイトフレーム２を上方向へ引き上げる荷重が増加した場合においても、タイトフレーム２の固定状態の維持を確保することが可能となる。
【００４５】
また、図１及び図２に示すごとく、前記タイトフレーム２の一部を上側から押さえつけるための部位（図２：押さえ板部４１ｂ）は、折板３と前記タイトフレーム２の間に形成される隙間に挿入され得るものであり、その挿入された部位によって、前記タイトフレーム２の一部が上側から押さえつけられることとするものである。例えば、後述する実施例１の形態では、図４に示すごとく、補強部材４の一部である端部４１ｄが、隙間６１ｂに挿入されるとともに、端部４１ｄによって固定板面部２ｇが上側から押さえつけられるものである。
【００４６】
これにより、図１に示すごとく、既設の折板屋根１０を解体などすることなく、タイトフレーム２の固定の補強が可能となる。
以下では、補強部材４の実施形態の詳細について、実施例を用いて説明する。
【実施例１】
【００４７】
図２に示すごとく、本実施例１の補強部材４・４は、タイトフレーム２の山形部２ａ・２ａの間に形成される谷底部２ｂにおいて、タイトフレーム２を上側から押さえつけるためのものである。
【００４８】
まず、図２におけるタイトフレーム２の構成について説明すると、タイトフレーム２の各山形部２ａは、正面視略ハ字状を構成する傾斜板面部２ｃ・２ｄと、両傾斜板面部２ｃ・２ｄの上部を連結する上板面部２ｅと、各傾斜板面部２ｃ・２ｄの下端において上板面部２ｅから離れる方向に向けて水平に延設される固定板面部２ｆ・２ｇと、を有して構成されている。そして、このような山形部２ａを複数用意し、各山形部２ａ・２ａの固定板面部２ｆ・２ｇ同士を付け合せるようにして、梁部材１の長手方向に連設することにより、連続した山脈形状のタイトフレーム２が構成される。また、各山形部２ａ・２ａの間には、谷底部２ｂが形成されることになる。
【００４９】
また、図２に示すごとく、各山形部２ａ・２ａは、その固定板面部２ｆ・２ｇにおいて、梁部材１の上面１ａに対してビス５１・５１により固定されている。これにより、タイトフレーム２を上方向へ引き上げる荷重が生じた場合でも、タイトフレーム２が梁部材１から外れないようになっている。
【００５０】
また、図２に示すごとく、上板面部２ｅには、上方に向けて固定用ピン２ｈが延設されている。この固定用ピン２ｈにはねじ山が形設されており、折板３の固定用孔３ａに固定用ピン２ｈを挿入した後に、固定ナット５２を固定用ピン２ｈに螺結することで、折板３がタイトフレーム２に対して固定され得るようになっている。
【００５１】
また、図２に示すごとく、折板３の上に図示せぬ太陽光発電パネルが載置される場合においては、この太陽光発電パネルを支持固定するための連結具２２が、固定用ピン２ｈに対して固定され得るようになっている。連結具２２には、固定用孔２２ａが設けられており、この固定用孔２２ａに固定用ピン２ｈを挿入しつつ、固定ナット５３を固定用ピン２ｈに螺結することで、連結具２２がタイトフレーム２に対して固定され得るようになっている。また、この連結具２２は、折板３の上側に設けられるものであり、固定ナット５３を螺結させた状態では、連結具２２とタイトフレーム２の間に折板３が挟装されるようになっている。
【００５２】
また、図２及び図３に示すごとく、補強部材４・４は、梁部材１の縦面１ｂ・１ｃに固定され得る縦板部４１ａと、この縦板部４１ａに対し直行する方向に設けられる押さえ板部４１ｂを有して構成されている。縦板部４１ａには、ビス５４を挿入するための貫通孔４１ｃ・４１ｃ（図３）が形成されている。また、押さえ板部４１ｂは、縦板部４１ａと反対側の端部４１ｄにおいて、固定板面部２ｆ・２ｇの上面に当接し得るように構成されている。なお、図３では、補強部材４を正面などから見た形状がそれぞれ示されている。また、この補強部材４は、例えば、アルミ、ステンレスなどの金属にて構成することができるが、タイトフレーム２の固定を補強できるものであれば、特に素材は限定されない。
【００５３】
また、図２に示すごとく、タイトフレーム２の一箇所の谷底部２ｂにおいて、二個の補強部材４・４が対向してセットで用いられるようになっている。また、両補強部材４・４の間に間隔が形成されるようにして、ビス５１・５１がかわされるようになっている。即ち、一方の補強部材４は、梁部材１の表側の縦面１ｂに固定され、他方の補強部材４は、梁部材１の裏側の縦面１ｃに固定されるようになっている。なお、図２の例のように一箇所の谷底部２ｂに二つの補強部材４・４を用いるほか、一箇所の谷底部２ｂに一つの補強部材４を用いることとしてもよい。例えば、梁部材１の表側の縦面１ｂの側にのみ補強部材４を設ける形態とするものである。
【００５４】
また、図４及び図５は、既設の折板屋根に対し、補強部材４の後付けを行う場合について説明するものである。まず、梁部材１の上面１ａと、折板３の谷底部３ｂの間に形成されている隙間６１ａに、補強部材４の押さえ板部４１ｂを挿入させるとともに、この押さえ板部４１ｂの端部４１ｄをタイトフレームの固定板面部２ｇと、谷底部３ｂの間の隙間６１ｂに挿入する。そして、端部４１ｄを固定板面部２ｇの上に載置した状態とし、ビス５４にて縦板部４１ａを梁部材１の縦面１ｂに固定することで、補強部材４の取付を行うことが可能となる。なお、補強部材４の押さえ板部４１ｂの厚みは、隙間６１ａ・６１ｂの上下寸法よりも小さく設定されるものとする。
【００５５】
このように、図４及び図５に示すごとく、梁部材１と折板３の間の隙間６１ａ、及び、タイトフレーム２と折板３の間の隙間６１ｂを利用することで、補強部材４を既設の折板屋根に対し取付けることが可能となる。そして、このような補強部材４の取付の形態によれば、折板３やタイトフレーム２を解体などせずに作業が行えることになり、特に、既設の折板屋根について、タイトフレーム２の固定の補強作業を行う場合には、施工性に優れたものとすることができる。なお、本実施例は、このような既設の折板屋根に対する適用はもちろんのこと、新設の折板屋根についても適用できることは言うまでもない。また、新設の折板屋根を施工する場合においても、補強部材を取付ける手順は特に限定されないため、施工性に優れたものとすることができる。
【００５６】
そして、図１に示すごとく、補強部材４・４によりタイトフレーム２の梁部材１に対する固定を補強することによって、太陽光発電パネル２１と折板屋根１０の間に進入する風Ｗ１によって、タイトフレーム２を上方向に引き上げる荷重Ｆ１が作用する場合であっても、タイトフレーム２の固定状態の維持を確保することが可能となる。さらに、折板３の下方に進入する風Ｗ２によってタイトフレーム２を上方向に引き上げる荷重Ｆ２が発生し、太陽光発電パネル２１と折板３の両方によってタイトフレーム２を上方向に引き上げようとする大きな荷重が作用するような状況に対しても、補強部材４・４が設けられることで、より確実にタイトフレーム２の固定状態を維持することが可能となる。
【００５７】
なお、図１の例では、タイトフレーム２における全ての谷底部の箇所に、補強部材４が配置されることとしたが、一部の箇所に配置することとしてもよい。また、図２に示すように、太陽エネルギー利用装置を固定するための連結具２２が固定される箇所における谷底部２ｂについては、タイトフレーム２を上方向へ引き上げる力がタイトフレーム２に直接的に作用するので、この箇所においては、補強部材４を設けることが特に望ましいことになる。
【実施例２】
【００５８】
図６に示すごとく、本実施例２の補強部材４Ａは、上述の実施例１と同様に、タイトフレーム２の山形部２ａ・２ａの間に形成される谷底部２ｂにおいて、タイトフレーム２を上側から押さえつけるためのものである。
【００５９】
また、図６乃至図８に示すごとく、補強部材４Ａは、押さえ部材４２ａと、この押さえ部材４２ａの一部と係合する固定部材４２ｂから構成される。なお、図７では、補強部材４Ａを構成する押さえ部材４２ａと固定部材４２ｂを正面などから見た形状がそれぞれ示されている。
【００６０】
また、図６乃至図８に示すごとく、押さえ部材４２ａは、梁部材１の表側の縦面１ｂに固定され得る縦板部４２ｃと、この縦板部４２ｃに対し直行する方向に設けられる押さえ板部４２ｄを有して構成されている。縦板部４２ｃには、ビス５４を挿入するための貫通孔４２ｅ・４２ｅ（図７）が形成されている。また、押さえ板部４２ｄには、縦板部４２ｃと反対側の端部において、二本のアーム部４２ｆ・４２ｆが延設されており、このアーム部４２ｆ・４２ｆの間に、タイトフレーム２を固定するビス５１・５１（図６）が配置されるようになっている。
【００６１】
また、図６乃至図８に示すごとく、押さえ板部４２ｄは、タイトフレーム２の固定板面部２ｆ・２ｇにおいて、梁部材１の表側（縦面１ｂ側）に配置される部位の上に被せるようにして配置される。また、アーム部４２ｆ・４２ｆは、梁部材１の裏側まで伸びて、縦面１ｃの上部から突出するようになっている。
【００６２】
また、図６乃至図８に示すごとく、固定部材４２ｂは、梁部材１の裏側の縦面１ｃに固定され得る板状の部材であって、その上部にアーム部４２ｆ・４２ｆの先端が挿入される貫通孔４２ｇ・４２ｇを有している。また、固定部材４２ｂには、ビス５４・５４を挿入するための貫通孔４２ｈ・４２ｈ（図７）が形成されている。
【００６３】
そして、図６乃至図８に示すごとく、押さえ部材４２ａの縦板部４２ｃを梁部材１の表側の縦面１ｂに固定し、押さえ板部４２ｄ及びアーム部４２ｆ・４２ｆがタイトフレーム２の固定板面部２ｆ・２ｇの上を横断する状態にする。そして、アーム部４２ｆ・４２ｆの先端を固定部材４２ｂの貫通孔４２ｇ・４２ｇに挿入させるとともに、固定部材４２ｂを梁部材１の裏側の縦面１ｃに固定する。このようにして、押さえ板部４２ｄ及びアーム部４２ｆ・４２ｆによって、タイトフレーム２の固定板面部２ｆ・２ｇを上側から押さえつけることが可能となる。
【００６４】
また、図８に示すごとく、押さえ板部４２ｄ及びアーム部４２ｆ・４２ｆの厚みは、タイトフレーム２と折板３の間の隙間６２に挿入し得る厚みに設定されるため、折板３などを解体などすることなく、既設の折板屋根についてタイトフレーム２の固定の補強を容易に実施することが可能となる。
【実施例３】
【００６５】
図９に示すごとく、本実施例３の補強部材４Ｂは、タイトフレーム２の山形部２ａにおいて、傾斜板面部２ｃ・２ｄを上から押さえつけることで、タイトフレーム２の固定の補強を行うものである。
【００６６】
また、図９乃至図１１に示すごとく、補強部材４Ｂは、押さえ部材４３ａと、この押さえ部材４３ａの一部と係合する固定部材４３ｂから構成される。なお、図１０では、補強部材４Ｂを構成する押さえ部材４３ａと固定部材４３ｂを正面などから見た形状がそれぞれ示されている。
【００６７】
また、図９乃至図１１に示すごとく、押さえ部材４３ａは、タイトフレーム２の山形部２ａの傾斜板面部２ｃ・２ｄの上側にそれぞれ当接し得る当接片部４３ｃ・４３ｃと、当接片部４３ｃ・４３ｃの間に架設されるアーム部４３ｄを有して構成されている。二つの当接片部４３ｃ・４３ｃは、両者によって略ハ字状を構成するように配置されるようになっている。また、アーム部４３ｄには、ビス５５・５５（図９）を介して固定部材４３ｂと連結するためのビス孔４３ｅ・４３ｅ（図１０）が設けられている。
【００６８】
また、図９乃至図１１に示すごとく、固定部材４３ｂは、梁部材１の表側の縦面１ｂに固定され得る縦板部４３ｆと、この縦板部４３ｆから押さえ部材４３ａに向って延設される水平板部４３ｇと、この水平板部４３ｇから上方に立ち上がってアーム部４３ｄと連結される連結縦板部４３ｈと、を有して構成される。縦板部４３ｆには、ビス５４・５４（図９）を挿入するための貫通孔４３ｊ・４３ｊ（図１０）が形成され、連結縦板部４３ｈには、ビス５５・５５を挿入するための貫通孔４３ｋ・４３ｋが形設される。
【００６９】
そして、図９乃至図１１に示すごとく、以上の構成において、押さえ部材４３ａと固定部材４３ｂをビス５５・５５によって一体とし、山形部２ａの傾斜板面部２ｃ・２ｄの外側面に、当接片部４３ｃ・４３ｃを被せた状態とする。そして、この状態において、固定部材４３ｂの縦板部４３ｆを梁部材１の縦面１ｂにビス５４・５４にて留めつけることで、補強部材４Ｂによるタイトフレーム２の固定の補強が行える。即ち、山形部２ａにおいて傾斜板面部２ｃ・２ｄが当接片部４３ｃ・４３ｃによって上側から押さえつけられることで、タイトフレーム２を上方向に引き上げる荷重が作用した場合にも、タイトフレーム２の梁部材１への固定状態を確実に維持できるようになる。
【００７０】
また、図１１に示すごとく、当接片部４３ｃ・４３ｃの厚みは、タイトフレーム２（傾斜板面部２ｃ・２ｄ）と折板３の間の隙間６３・６３に挿入し得る厚みに設定される。これにより、隙間６３・６３に対し各当接片部４３ｃ・４３ｃを一方（例えば、梁部材の表側の縦面１ｂ側）から差し込むようにして、補強部材４Ｂの取付を行うことができる。そして、このような補強部材４Ｂの取付の形態によれば、折板３などを解体などすることなく、既設の折板屋根についてタイトフレーム２の固定の補強を容易に実施することが可能となる。
【実施例４】
【００７１】
図１２に示すごとく、本実施例４の補強部材４Ｃは、タイトフレーム２の山形部２ａにおいて、固定板面部２ｆ・２ｇを傾斜板面部２ｃ・２ｄの根元部分に近い位置で上から押さえつけることで、タイトフレーム２の固定の補強を行うものである。
【００７２】
また、図１２乃至図１４に示すごとく、補強部材４Ｃは、押さえ部材４４ａと、この押さえ部材４４ａを梁部材１に対して固定させるための固定部材４４ｂから構成される。なお、図１３では、補強部材４Ｃを構成する押さえ部材４４ａと固定部材４４ｂを正面などから見た形状がそれぞれ示されている。
【００７３】
また、図１２乃至図１４に示すごとく、押さえ部材４４ａは、タイトフレーム２の固定板面部２ｆ・２ｇの間を跨ぐように構成される板状の部材であって、その両端部には傾斜板面部２ｃ・２ｄの根元部分が挿入され得る切欠き部４４ｃ・４４ｃが形設されている。この切欠き部４４ｃ・４４ｃの外側の部位が、タイトフレーム２の山形部２ａの固定板面部２ｆ・２ｇの上側にそれぞれ当接し得る当接片部４４ｄ・４４ｄとして構成される。
【００７４】
また、図１２乃至図１４に示すごとく、固定部材４４ｂは、押さえ部材４４ａの長手方向と直行する方向に長い板面部４４ｅと、この板面部４４ｅの前後端から、それぞれ下方に延設される縦板部４４ｆ・４４ｆと、を有して構成される。縦板部４４ｆ・４４ｆは、それぞれ、梁部材１の表側の縦面１ｂ、裏側の縦面１ｃに対して当接固定されるものであり、各縦板部４４ｆ・４４ｆには、ビス５４（図１２）を挿入するための貫通孔４４ｊ・４４ｊ（図１３）が形成される。
【００７５】
そして、図１２乃至図１４に示すごとく、以上の構成において、切欠き部４４ｃ・４４ｃ内に傾斜板面部２ｃ・２ｄが挿入されるように、押さえ部材４４ａを差し込むとともに、押さえ部材４４ａの上側から固定部材４４ｂを覆い被せ、固定部材４４ｂの縦板部４４ｆ・４４ｆを梁部材１の縦面１ｂ・１ｃにビス５４・５４にて留めつけることで、補強部材４Ｃによるタイトフレーム２の固定の補強が行える。即ち、山形部２ａにおいて固定板面部２ｆ・２ｇが当接片部４４ｄ・４４ｄによって上側から押さえつけられることで、タイトフレーム２を上方向へ引き上げる荷重が作用した場合にも、タイトフレーム２の梁部材１への固定状態を確実に維持できるようになる。
【００７６】
また、図１４に示すごとく、当接片部４４ｄ・４４ｄの厚みは、タイトフレーム２（固定板面部２ｆ・２ｇ）と折板３の谷底部３ｂの間の隙間６４・６４に挿入し得る厚みに設定されることで、隙間６４・６４に対し各当接片部４４ｄ・４４ｄを一方（例えば、梁部材の表側の縦面１ｃ側（図１２参照））から差し込むことが可能であり、また、固定部材４４ｂについては、傾斜板面部２ｃ・２ｄの間の空間６５を通じて、押さえ部材４４ａの上方から覆い被せることが可能である。このような構成により、折板３などを解体などすることなく、既設の折板屋根についてタイトフレーム２の固定の補強を容易に実施することが可能となる。
【実施例５】
【００７７】
図１５に示すごとく、本実施例５の補強部材４Ｄは、タイトフレーム２の山形部２ａにおいて、傾斜板面部２ｃ・２ｄの根元部分を上から押さえつけることで、タイトフレーム２の固定の補強を行うものである。
【００７８】
また、図１５乃至図１７に示すごとく、補強部材４Ｄは、梁部材１に対して固定される固定部４５ａに、傾斜板面部２ｃ・２ｄを挿入するための押さえ部４５ｂを設けた構成とするものである。なお、図１６では、補強部材４Ｄを正面などから見た形状がそれぞれ示されている。
【００７９】
また、図１５乃至図１７に示すごとく、固定部４５ａは、梁部材１に固定された状態で梁部材１と直行する方向に長い板面部４５ｃと、この板面部４５ｃの前後端から、それぞれ下方に延設される縦板部４５ｄ・４５ｄと、を有して構成される。縦板部４５ｄ・４５ｄは、それぞれ、梁部材１の表側の縦面１ｂ、裏側の縦面１ｃに対して当接固定されるものであり、各縦板部４５ｄ・４５ｄには、ビス５４（図１５）を挿入するための貫通孔４５ｅ（図１６）が形成される。
【００８０】
また、図１５乃至図１７に示すごとく、押さえ部４５ｂは、内板４５ｆ、外板４５ｇ、及び、横板４５ｈから略コ字状に構成されるものであり、内板４５ｆと外板４５ｇの間に隙間４５ｊが形設されるようになっている。そして、この隙間４５ｊに傾斜板面部２ｃ・２ｄが挿入され、外板４５ｇによって傾斜板面部２ｃ・２ｄが上側から抑えつけられ得るようになっている。また、内板４５ｆと外板４５ｇは、傾斜板面部２ｃ・２ｄと略平行に配置され得るようになっており、これにより、隙間４５ｊについても傾斜板面部２ｃ・２ｄと略平行に配置され得るようになっている。
【００８１】
また、図１５及び図１６に示すごとく、押さえ部４５ｂの隙間４５ｊは、板面部４５ｃの長手方向において、一方が開放されるように構成されている。これにより、図１７に示すごとく、図において左側の傾斜板面部２ｃの補強については、横板４５ｈが表側となるように補強部材４Ｄを配置することで、隙間４５ｊの傾斜を傾斜板面部２ｃと一致させて、傾斜板面部２ｃを隙間４５ｊへ挿入することが可能となる。一方、図において右側の傾斜板面部２ｄの補強については、横板４５ｈが裏側となるように補強部材４Ｄを配置することで、隙間４５ｊの傾斜を傾斜板面部２ｄと一致させて、傾斜板面部２ｃを隙間４５ｊへ挿入することが可能となる。
【００８２】
そして、図１５乃至図１７に示すごとく、以上の構成において、二つの補強部材４Ｄ・４Ｄを用意し、それぞれ隙間４５ｊ・４５ｊ内に傾斜板面部２ｃ・２ｄを挿入させるとともに、固定部４５ａの縦板部４５ｄ・４５ｄを梁部材１の縦面１ｂ・１ｃにビス５４・５４にて留めつけることで、補強部材４Ｄによるタイトフレーム２の固定の補強が行える。即ち、山形部２ａにおいて傾斜板面部２ｃ・２ｄが押さえ部４５ｂによって上側から押さえつけられることで、タイトフレーム２を上方向へ引き上げる荷重が作用した場合にも、タイトフレーム２の梁部材１への固定状態を確実に維持できるようになる。
【００８３】
また、図１７に示すごとく、押さえ部４５ｂにおける外板４５ｇの厚みは、タイトフレーム２（傾斜板面部２ｃ・２ｄ）と折板３の間の隙間６６・６６に挿入し得る厚みに設定されることで、隙間６６・６６に対し各外板４５ｇ・４５ｇを一方（梁部材の表側の縦面１ｂ側、若しくは、裏側の縦面１ｃ側（図１５参照））から差し込むことが可能であり、また、固定部４５ａについては、傾斜板面部２ｃ・２ｄの間の空間６５を通じて、梁部材１の上方から覆い被せることが可能である。このような構成により、折板３などを解体などすることなく、既設の折板屋根についてタイトフレーム２の固定の補強を容易に実施することが可能となる。
【産業上の利用可能性】
【００８４】
本発明の補強部材は、折板屋根のタイトフレームの固定を補強する手段として、カーポート、テラス屋根などの住宅用室外設備をはじめ、体育館、工場、倉庫に広く適用され得るものである。また、住宅の屋根としても適用され得る。また、これらの折板屋根において、既設、新設のいずれのものについても追加的に適用することができる。
【符号の説明】
【００８５】
１    梁部材
２    タイトフレーム
２ｃ    傾斜板面部
２ｄ    傾斜板面部
２ｆ    固定板面部
２ｇ    固定板面部
３    折板
４    補強部材
１０    折板屋根
２０    太陽エネルギー利用装置
２１    太陽光発電パネル
６１ａ    隙間
６１ｂ    隙間
Ｆ１    荷重
Ｆ２    荷重
Ｗ１    風
Ｗ２    風
【図１】
2011214219.tif 000003
【図２】
2011214219.tif 000004
【図３】
2011214219.tif 000005
【図４】
2011214219.tif 000006
【図５】
2011214219.tif 000007
【図６】
2011214219.tif 000008
【図７】
2011214219.tif 000009
【図８】
2011214219.tif 000010
【図９】
2011214219.tif 000011
【図１０】
2011214219.tif 000012
【図１１】
2011214219.tif 000013
【図１２】
2011214219.tif 000014
【図１３】
2011214219.tif 000015
【図１４】
2011214219.tif 000016
【図１５】
2011214219.tif 000017
【図１６】
2011214219.tif 000018
【図１７】
2011214219.tif 000019